(57)【要約】【課題】ホースを整列した状態に巻き取れて、該ホースを巻取状態のまま取り外すことができるホース用巻取機を提供することを課題とする。【解決手段】ホース２を巻き取るための巻取リール３と、該巻取リール３を回転自在に支持する支持台４とを備え、該巻取リール３の回転軸芯を鉛直方向に配置したホース用巻取機１において、前記巻取リール３を上部ガイド２１と下部ガイド２２とから構成し、該下部ガイド２２上に回転軸芯から所定距離離れた位置にホース２を巻き付ける複数の支持体２８を設け、前記上部ガイド２１に該支持体２８に着脱可能な嵌合体２３を設けた。【選択図】図２
2005170627.tif 000002
【特許請求の範囲】
【請求項１】
ホースを巻き取るための巻取リールと、該巻取リールを回転自在に支持する支持台とを備え、該巻取リールの回転軸芯を鉛直方向に配置したホース用巻取機において、前記巻取リールを上部ガイドと下部ガイドとから構成し、該下部ガイド上に回転軸芯から所定距離離れた位置にホースを巻き付ける複数の支持体を設け、前記上部ガイドに該支持体に着脱可能な嵌合体を設けたことを特徴とするホース用巻取機。
【請求項２】
前記支持台上に円環状のガイドレールを配設するとともに、該ガイドレール上を転動するガイドローラを前記下部ガイドに取り付けたことを特徴とする請求項１に記載のホース用巻取機。
【請求項３】
前記巻取リールの外側方に、ホースを挟んで案内する第一ローラと第二ローラとを所定間隔をあけて平行に配設し、該第一ローラと第二ローラの軸芯を巻取リールの軸芯に対して傾斜させて配置したことを特徴とする請求項１又は請求項２に記載のホース用巻取機。
【発明の詳細な説明】
【技術分野】
【０００１】
本発明は、散水や防除等に使用されるホースを巻き取るための巻取機の構成に関する。
【背景技術】
【０００２】
従来、ホース用巻取機は主にホースを巻き取る巻取リールと、該巻取リールを回転自在に支持する支持台とを備えてなり、一般的には巻取リールの軸芯を水平方向に配置して、巻取軸の両側を支持台に回転自在に横架して、動力を用いて、或いは、手動で巻き取るように構成されていた。しかし、ホースの巻き取り方向又は引き出し方向が巻取リールの開放側の前後又は左右方向に限られるため、ホースを引き出す方向又は巻き取る方向に巻取リールの方向を変える必要があった。そこで、巻取リールの軸芯を鉛直方向としてホース用巻取機を構成する技術も提案されている（例えば、特許文献１参照。）。
【０００３】
【特許文献１】登録実用新案第３０３７３０１号公報
【発明の開示】
【発明が解決しようとする課題】
【０００４】
しかし、従来のホース用巻取機は、ホースを巻き取った後、そのホースをホース用巻取機から取り外すことができない。または、取り外すには巻取台を分解しなければならないという問題があった。そのため、長距離の散布作業や散水作業において、複数のホースを繋いで使用する場合には、ホース用巻取機を複数用意する必要があり、コストアップともなっていた。また、ホースを保管する際には、ホース用巻取機とともに保管するしかなく、複数のホースがある場合には広い保管場所を必要としていた。
【０００５】
そこで本発明は、ホースを略整列した状態に巻き取れて、該ホースを巻取状態のまま取り外すことができるホース用巻取機を提供することを目的とする。
【課題を解決するための手段】
【０００６】
本発明の解決しようとする課題は以上の如くであり、次にこの課題を解決するための手段を説明する。
【０００７】
即ち、請求項１においては、ホースを巻き取るための巻取リールと、該巻取リールを回転自在に支持する支持台とを備え、該巻取リールの回転軸芯を鉛直方向に配置したホース用巻取機において、前記巻取リールを上部ガイドと下部ガイドとから構成し、該下部ガイド上に回転軸芯から所定距離離れた位置にホースを巻き付ける複数の支持体を設け、前記上部ガイドに該支持体に着脱可能な嵌合体を設けたものである。
【０００８】
請求項２においては、前記支持台上に円環状のガイドレールを配設するとともに、該ガイドレール上を転動するガイドローラを前記下部ガイドに取り付けたものである。
【０００９】
請求項３においては、前記巻取リールの外側方に、ホースを挟んで案内する第一ローラと第二ローラとを所定間隔をあけて平行に配設し、該第一ローラと第二ローラの軸芯を巻取リールの軸芯に対して傾斜させて配置したものである。
【発明の効果】
【００１０】
本発明の効果として、以下に示すような効果を奏する。
【００１１】
請求項１においては、ホースの巻取終了時に、上部ガイドを下部ガイドから取り外すことで、巻取状態のホースをそのまま持ち上げてホース用巻取機から簡単に取り外すことができる。したがって、一つのホース用巻取機で、複数連結したホースの場合、作業終了時に別々に分解して個々に巻き取ることができる。さらに、ホースのみを保管することができるため、広い保管場所を必要とすることもなく、持ち運びも容易にできる。
【００１２】
請求項２においては、巻取リールにホースを巻き取る際に、巻取リールを回す操作力を軽減することができる。そのため、軽い操作で巻取リールを回すことが可能となり、ホースを巻取リールに巻き取る時に回転が不安定となって蛇行することもなく、略整列した状態に巻き取ることができる。
【００１３】
請求項３においては、ホースを第一ローラと第二ローラとの間に挟んだ状態で、巻取リールを回すことで、ホース内に残る液体を絞り出しながら、ホースを巻き取ることができ、ホースを巻いた状態としたときに軽くすることができて、持ち運びが容易となる。さらに、ホースを第一ローラと第二ローラとにより案内しながら巻き取る際に、第一ローラと第二ローラが傾斜していることで、上方に向かってホースを巻取リールに引き込むときに持ち上げられる力がホースに加えられ、ホースが自重により下がることが防止される。よって、下側に偏って巻かれることがなく、ホースを巻取リールに上下方向で略均一に巻き取ることができる。
【発明を実施するための最良の形態】
【００１４】
次に、発明の実施の形態を説明する。
図１はホース用巻取機の平面図、図２はホース用巻取機の後面図、図３はホース用巻取機の側面図、図４はホース用巻取機の側面断面図、図５はホースの巻取終了時におけるホース用巻取機を示す側面図、図６はホース用巻取機を運搬用台車上に設置した例を示す図である。
【００１５】
ホース用巻取機１について、図１乃至図６を用いて説明する。なお、以下の説明では便宜的に図１における矢印Ｆの方向を前方とする。
【００１６】
図１乃至図４に示すように、ホース用巻取機１は、ホース２を巻き取るための巻取リール３と、該巻取リール３の下方に平行に配置されて、該巻取リール３を軸支する支持台４と、該支持台４上に配設されて、巻取リール３の回転を案内するガイドレール５と、巻取リール３に取り付けられ、該ガイドレール５上を転動するガイドローラ６と、巻取リール３にホース２を巻き取る際に、該ホース２を巻取リール３に案内しながらホース２内に残る液体を絞り出す案内手段７等から構成されている。なお、本実施例では巻取リール３及び支持台４を鋼材で構成しているが、合成樹脂等で構成することも可能である。
【００１７】
前記支持台４は一対の支持部材１０・１０と、支持部材１０・１０を連結する連結板１１とからなり、支持部材１０・１０は左右に所定間隔を空けて平行に配置されて、前後方向に延設されている。該支持部材１０・１０は前後中途部で連結板１１により連結されて支持台４を平面視Ｈ字状に構成しており、各支持部材１０の前後両端部がそれぞれクランク状に屈曲されている。そして、各支持部材１０・１０の前後両端部に取付孔１０ａ・１０ａが設けられ、ボルト等の締結部材で支持台４を他のセット台や荷台等に固定できるようになっている。なお、該取付孔１０aは長孔等で構成してもよく、支持部材１０に所定間隔をあけて複数設けて取付位置を変更できるように構成することもできる。また、支持台４は本実施例では二本の支持部材１０・１０で構成しているが、一枚または複数のプレート部材を折り曲げて構成することも可能である。
【００１８】
前記支持台４を取り付ける部材として例えば、図６に示すように、ホース用巻取機１を運搬用台車３９等に安定して設置することも可能であり、該運搬用台車３９上にセット動噴等を固定することで、巻取器と一体的に載置可能となる。
【００１９】
前記支持台４の連結板１１上面の中央部、つまり巻取リール３の回転軸芯位置にはパイプ状の軸受部１２が立設され、該軸受部１２の上部が巻取リール３の回転中心部に配置した円盤状の支持板３０・３０の中心に設けた支持孔に挿入される。さらに、前記支持部材１０・１０上面には、平面視円環状に形成したガイドレール５が前記軸受部１２を中心として溶接等により固設されている。
【００２０】
前記巻取リール３は、ホース２を巻きつけながら載置する下部ガイド２２と、該下部ガイド２２上に取り付けてホース２が外れないようにするとともに、巻取リール３の回転操作部を設けた上部ガイド２１とからなり、下部ガイド２２の上方に上部ガイド２１が所定間隔をあけて平行に配置して構成されている。
【００２１】
前記下部ガイド２２は平面視円環状の枠体２５と、該枠体２５内に放射状に配置される、複数（本実施例では六つ）の支持杆２７ａ・２７ｂ・２７ｃ・２７ｄ・２７ｅ・２７ｆと、該支持杆２７ａ・２７ｂ・２７ｃ・２７ｄ・２７ｅ・２７ｆの中心部に配置される支持板３０・３０から構成されている。該支持杆２７ａ・２７ｂ・２７ｃ・２７ｄ・２７ｅ・２７ｆは角パイプ状の鋼管等で構成され、該支持杆２７ａ・２７ｂ・２７ｃ・２７ｄ・２７ｅ・２７ｆの中心側の上下は支持板３０・３０に固設され、外側は枠体２５の内面に固設され、該支持杆２７ａ・２７ｂ・２７ｃ・２７ｄ・２７ｅ・２７ｆと枠体２５の上下高さは略同じ長さとしている。そして、支持板３０・３０の中心に設けた支持孔に前記軸受部１２が挿入され、パイプ状の軸受部１２及び連結板１１の中央の挿入孔に座金２６を介してボルト１３が挿入され、連結板１１の下方からナットで締付け固定されて下部ガイド２２が支持台４上から抜けないようにし、下部ガイド２２が軸受部１２に回転自在に支持されている。
【００２２】
前記支持杆２７ａ・２７ｂ・２７ｃ・２７ｄ・２７ｅ・２７ｆは支持板３０の間に等間隔をあけて半径方向（放射状）に配置されており、該支持杆２７ａ・２７ｂ・２７ｃ・２７ｄ・２７ｅ・２７ｆのうち、等間隔をあけた複数箇所の下面（本実施例では支持杆２７ｂ・２７ｄ・２７ｆ）に、それぞれ略逆Ｕ字状の支持部材２９が固設され、該支持部材２９にガイドローラ６が回転自在に取り付けられている。ガイドローラ６の取付位置は、前記支持台４上に固設されたガイドレール５に合わせた位置としている。つまり、ガイドローラ６は軸受部１２からの半径方向の距離はガイドレール５の半径と略同じとしている。そして、支持台４上に下部ガイド２２を上方から組み付けたときに、各ガイドローラ６はガイドレール５上に載置されて、ホースの巻取時や引き出し時には、巻取リール３の回転に伴ってガイドレール５上を転動するようになっている。こうして、ガイドローラ６・６・６により巻取リール３とホース２の荷重を受けて安定した状態で巻取リール３を支持し、巻取時にはガイドローラ６・６・６により回転抵抗が小さくなるようにしている。
【００２３】
さらに、前記支持杆２７ａ・２７ｂ・２７ｃ・２７ｄ・２７ｅ・２７ｆのうち、一直線上（直径方向）に位置する支持杆（本実施例では支持杆２７ａ・２７ｄ）における回転軸芯（回転中心）から等距離の位置（同一半径位置）に、ホース２を巻き付けるための支持体となる複数の支持パイプ２８・２８が鉛直方向上方に突設されている。但し、支持パイプ２８の数は限定するものではなく、一本の場合には回転軸芯上に配置し、複数の場合には同一円周上に略等角度毎に配置する。
【００２４】
一方、前記上部ガイド２１は鋼管で構成した角パイプ状の棒状体からなり、前記枠体２５の直径と略同じ長さに構成されている。該上部ガイド２１の下面から前記支持パイプ２８・２８の位置に合わせて嵌合体となる一対のガイド杆２３・２３が所定間隔をあけて平行に鉛直方向下方に突設されている。該ガイド杆２３・２３の位置は巻取リール３の中心から等距離の位置に配置し、該ガイド杆２３の直径は前記支持パイプ２８の内径よりも若干小さくして挿入自在としている。また、上部ガイド２１の一側端部上面には把手２４が上方に突設されている。なお、上部ガイド２１の形状をＸ状に構成したり、下部ガイド２２と略同様に放射状に構成することもできる。また、ガイド杆２３の数は特に限定するものではない。
【００２５】
こうして、上部ガイド２１は下部ガイド２２に着脱可能に取り付けられ、該ガイド杆２３・２３を支持パイプ２８・２８に挿入することで、上部ガイド２１と下部ガイド２２との間に巻取空間を形成することができる。そして、ホース２の一端を下部ガイド２２に固定して、把手２４を握って回動することにより、該上部ガイド２１と下部ガイド２２の間で支持パイプ２８・２８の周囲にホース２を巻き付けることができる。
【００２６】
また、前記巻取リール３の後方に案内手段７が配置されている。該案内手段７は、巻取リール３を回転してホース２を巻き取るときに、ホース２内に残る液体を絞り出して、運搬時にホース２を軽くするとともに、ホース２を巻取リール３に案内するものであり、第一ローラ３１と第二ローラ３２と、該第一ローラ３１と第二ローラ３２とを軸支するローラ支持部材３３とから構成されている。該ローラ支持部材３３は支持台４から外方へ延設されて、その後端部に第一ローラ３１と第二ローラ３２を配置し、該第一ローラ３１と第二ローラ３２は上部ガイド２１と下部ガイド２２の外周部に鉛直方向から傾けて配置されている。
【００２７】
すなわち、前記ローラ支持部材３３はパイプまたはボルト材を平面視Ｌ字状に折り曲げ形成されており、その前部（中心側）が支持台４の一方の支持部材１０の後部（側面）に溶接等で固設され、該ローラ支持部材３３の屈曲された後部側（外側）が後面視で左斜上方に傾斜して延出されている。そして、ローラ支持部材３３の後端部（他端側）に、該ローラ支持部材３３と直角で上方に支軸３４・３５が所定間隔を空けて平行に立設され、該支軸３４・３５にそれぞれ第一ローラ３１と第二ローラ３２が回転自在に外嵌されている。つまり、第一ローラ３１と第二ローラ３２とはローラ支持部材３３と直交するように配置され、図２に示すように巻取リール３の軸芯（鉛直方向）に対して所定角度θ傾斜した状態で軸支されている。該第一ローラ３１の外周面と第二ローラ３２の外周面との間隔はホース２を押しつぶした時の厚さと略同じとしている。
【００２８】
このような構成において、ホース２を巻取リール３に巻き取る場合、ホース２の一端を案内手段７の第一ローラ３１と第二ローラ３２の間を通して挟んでおき、端部を下部ガイド２２の適宜位置に固定する。なお、ホース２の固定手段は限定するものではなく、クリップやバンド等であってもよい。そして、把手２４を握って上部ガイド２１とともに下部ガイド２２を回して下部ガイド２２の支持パイプ２８・２８の外側にホース２を巻き取っていくと、該第一ローラ３１と第二ローラ３２によりホース２が巻取リール３中心側に案内されるとともに、該ホース２が挟まれて絞られることにより、ホース２内に残る液体がホース終端側に送り出されて終端から排出される。
【００２９】
このとき、上述のごとく第一ローラ３１と第二ローラ３２は巻取リール３の軸芯に対して傾斜して設けられているので、ホース２が第一ローラ３１と第二ローラ３２との間を通過して中心側へ引き込まれるときに、ホース２が図３に示すように外側が低く、巻取リール３の中心側が高くなるように、ホース２が下から上方へ斜めに引き上げられると、ホース２は図２に示すように第二ローラ３２に対して螺旋状に巻き付いた状態で回転されるのと略同様の状態となり、ホース２は自重により下がることなく持ち上げられながら巻取リール３に巻き取られるようになる。したがって、斜めに配置した第一ローラ３１と第二ローラ３２とによりホース２を案内して巻取リール３の支持パイプ２８・２８に巻き取る際には、該ホース２を支持パイプ２８・２８の下から順に上方へ巻き取っていくことができ、下側だけに偏って巻かれることを防止できるのである。
【００３０】
また、巻取リール３にホース２を巻き取っていく際、巻取リール３の下部ガイド２２に取り付けられたガイドローラ６・６・６が、支持台４に設けられたガイドレール５上を転動するため、巻取リール３を回す操作力を軽減することができる。したがって、軽い操作力で巻取リール３を回すことができるようになり、安定した回転が得られてホース２が蛇行することなく、略整列した状態に巻き取ることができる。なお、巻取リール３は支持パイプ２８・２８とガイド杆２３・２３の間で伸縮させて長さを変更するように構成することもでき、この場合、上部ガイド２１と下部ガイド２２との間の長さを調整することで、ホース用巻取機１は径や長さの異なる種々のホースに対応して巻き取ることが可能となっている。
【００３１】
そして、巻取リール３にホース２を巻き取った後には、図５に示すように、上部ガイド２１を上方へ抜いて外し、下部ガイド２２上に戴置された巻取状態のホース２を紐３７やバンド等で結束する。こうして、巻取状態のホース２を下部ガイド２２から取り外すことが可能となる。つまり、下部ガイド２２に対して上部ガイド２１を着脱可能として巻取リール３を構成したので、ホース２を巻取状態のままで簡単にホース用巻取機１から取り外すことができるのである。したがって、一つのホース用巻取機１を用意するだけで、複数のホースを巻き取ることができる。さらに、複数のホースがある場合でもホース用巻取機１から取り外してホースのみを保管することができるため、広い保管場所を必要とすることもなく、持ち運びも容易にできる。
【図面の簡単な説明】
【００３２】
【図１】ホース用巻取機の平面図。
【図２】ホース用巻取機の後面図。
【図３】ホース用巻取機の側面図。
【図４】ホース用巻取機の側面断面図。
【図５】ホースの巻取終了時におけるホース用巻取機を示す側面図。
【図６】ホース用巻取機を運搬用台車上に設置した例を示す図。
【符号の説明】
【００３３】
１    ホース用巻取機
２    ホース
３    巻取リール
４    支持台
５    ガイドレール
６    ガイドローラ
７    案内手段
２１    上部ガイド
２２    下部ガイド
２３    ガイド杆
２８    支持パイプ
３１    第一ローラ
３２    第二ローラ
【図１】
2005170627.tif 000003
【図２】
2005170627.tif 000004
【図３】
2005170627.tif 000005
【図４】
2005170627.tif 000006
【図５】
2005170627.tif 000007
【図６】
2005170627.tif 000008